(57)【要約】【課題】被加熱体の載置場所と高温である部分の所在を明確にする誘導加熱装置を提供することを目的とする。【解決手段】被加熱体９の載置場所表示と、その近傍の絶縁板１の高温状態表示を、発光手段６を有する表示手段４で併せて行うものである。これにより、被加熱体９の載置場所、或いは載置場所が複数ある場合は通電中の加熱コイル２上の載置場所がどれであるかを示すと共に、高温である部分の所在を明確にし、認識し易くしてより安全で使い勝手の良いものとなる。【選択図】図１
2006294371.tif 000002
【特許請求の範囲】
【請求項１】
被加熱体を載置する一部または全部を光透過性とした絶縁板と、前記絶縁板の下方に設けられ、前記被加熱体を加熱する加熱コイルと、前記絶縁板の温度を検知する温度検知手段と、前記加熱コイルの通電状態および前記絶縁板の温度状態を前記絶縁板の光透過性部分を介して図形として表示する表示手段と、前記加熱コイルへの通電を制御する加熱制御手段とを備え、前記表示手段は、前記加熱コイルが発生する磁束のおよぶ近傍に配された発光手段を有し、前記発光手段が発光することで、前記加熱コイルによって加熱される部分および前記温度検知手段の出力が所定の値以上であることを前記図形の一部または全部を共用して表示する構成の誘導加熱装置。
【請求項２】
発光手段への電力供給経路が１系統である構成の請求項１に記載の誘導加熱装置。
【請求項３】
加熱コイルによって加熱される部分の表示と、温度検知手段の出力が所定の値以上であることの表示とを、図形の大きさまたは形状を可変することで切り替える構成とした請求項１または２に記載の誘導加熱装置。
【請求項４】
加熱コイルによって加熱される部分の表示と、温度検知手段の出力が所定の値以上であることの表示とを、発光手段の発光輝度を可変することで切り替える構成とした請求項１または２に記載の誘導加熱装置。
【請求項５】
加熱コイルによって加熱される部分の表示と、温度検知手段の出力が所定の値以上であることの表示とを、発光手段の発光色を可変することで切り替える構成とした請求項１または２に記載の誘導加熱装置。
【請求項６】
加熱コイルによって加熱される部分の表示と、温度検知手段の出力が所定の値以上であることの表示とを、発光手段の点滅周期または点灯時間を可変することで切り替える構成とした請求項１または２に記載の誘導加熱装置。
【請求項７】
加熱コイルに通電中は発光手段を点灯し、前記加熱コイルに非通電時で温度検知手段の出力が所定の値以上であれば、前記発光手段を所定の周期で点滅させる構成とした請求項１または２に記載の誘導加熱装置。
【請求項８】
報知手段と、発光手段の故障を検知する故障検知手段とを有し、前記故障検知手段が前記発光手段の故障を検知した際には、加熱コイルへの通電を停止し、前記報知手段が前記発光手段の故障を報知する構成とした請求項１〜７のいずれか１項に記載の誘導加熱装置。
【発明の詳細な説明】
【技術分野】
【０００１】
本発明は、一般家庭やレストランおよびオフィス、あるいは工場などで使用される誘導加熱装置に関するものである。
【背景技術】
【０００２】
従来の誘導加熱装置として、誘導加熱調理器では、被加熱体となる鍋などの温度、または被加熱体を載置している天板の温度を検知し、その温度が所定値以上であれば、その旨を発光ダイオードの点灯で報知し、使用者に火傷などの注意喚起を促すものが知られている（例えば、特許文献１参照）。
【０００３】
また、加熱コイルの周囲に導光体を配置して、この導光体を介して光源の光を発光させて、加熱コイルの通電の有無に応じてその光により形成される図形にて、鍋などの被加熱体の載置場所を分かり易くしているものも知られている（例えば、特許文献２参照）。
【特許文献１】特開２００２−７５６１４号公報
【特許文献２】特開２００１−３２６０６４号公報
【発明の開示】
【発明が解決しようとする課題】
【０００４】
しかしながら、前記従来の構成では、天板の温度と被加熱体の載置場所とがそれぞれ単独に分かるものの、２つの構成を組み合わせた場合には、各機能を実現させるための表示手段（例えば、ＬＥＤなどの光源や導光のための樹脂部品）や表示手段への信号を与えるリード線がそれぞれ必要になり、部品点数が増加することによる機器構成の複雑化と、それに伴うコストアップや、光源の消費電流増加による電源回路の大型化、コストアップなどが生じるという課題がある。
【０００５】
また、特に、複数の被加熱体を個別に加熱できる複数の加熱部を有する誘導加熱調理器では、天板高温報知用の表示手段を設けた場合、その複数の加熱部のうちどの加熱部の近傍の天板が高温であるかが使用者に判別し難いという課題がある。
【０００６】
本発明は、前記従来の課題を解決するもので、被加熱体の載置場所、或いは載置場所が複数ある場合は通電中の載置場所がどれであるかを示すと共に、高温である部分の所在を明確にし、認識し易くしてより安全で使い勝手の良い誘導加熱装置を提供することを目的とする。
【課題を解決するための手段】
【０００７】
前記従来の課題を解決するために、本発明の誘導加熱装置は、被加熱体の載置場所の表示と、その近傍の絶縁板の高温状態表示とを、発光手段を有する表示手段で併せて行うようにしたものである。
【０００８】
これによって、機器構成の単純化および電源回路の小型化をはかり、被加熱体の載置場所、或いは載置場所が複数ある場合は通電中の載置場所がどれであるかを示すと共に、高温である部分の所在を明確にし、より安全で使い勝手の良いものとすることができる。
【発明の効果】
【０００９】
本発明の誘導加熱装置は、機器構成の単純化および電源回路の小型化がはかれ、被加熱体の載置場所、或いは載置場所が複数ある場合は通電中の載置場所がどれであるかを示すと共に、高温である部分の所在を明確にし、より安全で使い勝手の良いものとすることができる。
【発明を実施するための最良の形態】
【００１０】
第１の発明は、被加熱体を載置する一部または全部を光透過性とした絶縁板と、前記絶縁板の下方に設けられ、前記被加熱体を加熱する加熱コイルと、前記絶縁板の温度を検知する温度検知手段と、前記加熱コイルの通電状態および前記絶縁板の温度状態を前記絶縁板の光透過性部分を介して図形として表示する表示手段と、前記加熱コイルへの通電を制御する加熱制御手段とを備え、前記表示手段は、前記加熱コイルが発生する磁束のおよぶ近傍に配された発光手段を有し、前記発光手段が発光することで、前記加熱コイルによって加熱される部分および前記温度検知手段の出力が所定の値以上であることを前記図形の一部または全部を共用して表示する構成の誘導加熱装置とすることにより、機器構成の単純化および電源回路の小型化をはかり、被加熱体の載置場所、或いは載置場所が複数ある場合は通電中の載置場所がどれであるかを示すと共に、高温である部分の所在を明確にし、より安全で使い勝手の良いものとすることができる。
【００１１】
第２の発明は、特に、第１の発明において、発光手段への電力供給経路が１系統である構成とすることにより、発光手段が複数の光源から成る場合でも、これら複数の光源の直列体に１系統の電源からの給電用リード線により、給電して駆動することができるので、表示の信号伝達ための配線数を増加させることなく、光源を増やして大きい図形をも表示可能とすると共に、光源の消費電流の増加を抑制して、光源を駆動するための電源回路の大型化を防ぐことができる。
【００１２】
第３の発明は、特に、第１または第２の発明において、加熱コイルによって加熱される部分の表示と、温度検知手段の出力が所定の値以上であることの表示とを、図形の大きさまたは形状を可変することで切り替える構成としたことにより、使用者は加熱コイルに通電して被加熱体を加熱中は、主に、被加熱体の載置場所を容易に確認でき、加熱コイルへの通電を停止後は被加熱体が載置している近傍の絶縁板が高温であることを認知できる。この時、加熱コイルに通電中である時と、非通電でかつ絶縁板温度が高温の時とで、表示手段が表示する図形の形状或いは大きさを異なるものとしているので、確実にその異なる状態を識別することができる。
【００１３】
第４の発明は、特に、第１または第２の発明において、加熱コイルによって加熱される部分の表示と、温度検知手段の出力が所定の値以上であることの表示とを、発光手段の発光輝度を可変することで切り替える構成としたことにより、使用者は加熱コイルに通電して被加熱体を加熱中は、主に、被加熱体の載置場所を容易に確認でき、加熱コイルへの通電を停止後は被加熱体が載置している近傍の絶縁板が高温であることを認知できる。この時、加熱コイルに通電中である時と、非通電でかつ絶縁板温度が高温の時とで、表示手段が表示する図形は同一であるが、その発光輝度が異なるので、確実にその異なる状態を識別することができる。加えて、表示する図形を同一にしているので、表示手段を構成する発光手段やその光源、図形を形成する導光部材、光源を駆動するための信号リード線などの部品点数を増加する必要がなく、光源の駆動電源回路の大型化をも防止できるので、機器の大型化、高コスト化を抑制できる。
【００１４】
第５の発明は、特に、第１または第２の発明において、加熱コイルによって加熱される部分の表示と、温度検知手段の出力が所定の値以上であることの表示とを、発光手段の発光色を可変することで切り替える構成としたことにより、使用者は加熱コイルに通電して被加熱体を加熱中は、主に、被加熱体の載置場所を容易に確認でき、加熱コイルへの通電を停止後は被加熱体が載置している近傍の絶縁板が高温であることを認知できる。この時、加熱コイルに通電中である時と、非通電でかつ絶縁板温度が高温の時とで、表示手段が表示する図形の色を異なるものとしているので、確実にその異なる状態を識別することができる。加えて、表示する図形の形状或いは大きさを同一にしているので、表示手段を構成する発光手段やその光源、図形を形成する導光部材などの部品点数を増加する必要がなく、機器の大型化、高コスト化を抑制できる。
【００１５】
第６の発明は、特に、第１または第２の発明において、加熱コイルによって加熱される部分の表示と、温度検知手段の出力が所定の値以上であることの表示とを、発光手段の点滅周期または点灯時間を可変することで切り替える構成としたことにより、使用者は加熱コイルに通電して被加熱体を加熱中は、主に、被加熱体の載置場所を容易に確認でき、加熱コイルへの通電を停止後は被加熱体が載置している近傍の絶縁板が高温であることを認知できる。この時、加熱コイルに通電中である時と、非通電でかつ絶縁板温度が高温の時とで、表示手段が表示する図形は同一であるが、その発光手段の点滅に伴う点灯・消灯周期または点灯時間が異なるので、確実にその異なる状態を識別することができる。加えて、表示する図形を同一にしているので、表示手段を構成する発光手段やその光源、図形を形成する導光部材、光源を駆動するための信号リード線などの部品点数を増加する必要がなく、光源の駆動電源回路の大型化をも防止できるので、機器の大型化、高コスト化を抑制できる。
【００１６】
第７の発明は、特に、第１または第２の発明において、加熱コイルに通電中は発光手段を点灯し、前記加熱コイルに非通電時で温度検知手段の出力が所定の値以上であれば、前記発光手段を所定の周期で点滅させる構成としたことにより、使用者は加熱コイルに通電して被加熱体を加熱中は、主に、被加熱体の載置場所を容易に確認でき、加熱コイルへの通電を停止後は被加熱体が載置している近傍の絶縁板が高温であることを認知できる。この時、加熱コイルに通電中である時と、非通電でかつ絶縁板温度が高温の時とで、表示手段が表示する図形は同一であるが、その発光手段の発光方法を加熱コイルに通電中は発光手段を点灯し、非通電時で温度検知手段の出力が所定の値以上であれば、前記発光手段を所定の周期で点滅させて異なるものとしているので、確実にその異なる状態を識別することができる。加えて、表示する図形を同一にしているので、表示手段を構成する発光手段やその光源、図形を形成する導光部材、光源を駆動するための信号リード線などの部品点数を増加する必要がなく、光源の駆動電源回路の大型化をも防止できるので、機器の大型化、高コスト化を抑制できる。
【００１７】
第８の発明は、特に、第１〜第７のいずれか１つの発明において、報知手段と、発光手段の故障を検知する故障検知手段とを有し、前記故障検知手段が前記発光手段の故障を検知した際には、加熱コイルへの通電を停止し、前記報知手段が前記発光手段の故障を報知する構成としたことにより、発光手段の故障を故障検知手段が検知すると、加熱コイルへの通電を停止して、絶縁板の継続的な高温状態を防止できると共に、報知手段にて、故障発生を使用者に報知して対処を促すことができる。
【００１８】
以下、本発明の実施の形態について、図面を参照しながら説明する。なお、この実施の形態によって本発明が限定されるものではない。
【００１９】
（実施の形態）
図１は、本発明の実施の形態における誘導加熱装置を示している。
【００２０】
図に示すように、本実施の形態における誘導加熱装置は、鍋やフライパンなどの被加熱体９を載置する一部または全部を光透過性とした板厚約４ｍｍの結晶化ガラスで成る絶縁板１と、絶縁板１の下方に設けられ、被加熱体９を加熱する加熱コイル２と、絶縁板１の温度を検知する温度検知手段３と、加熱コイル２の通電状態および絶縁板１の温度状態を絶縁板の光透過性部分を介して図形として表示する表示手段４と、加熱コイル２への通電を制御する加熱制御手段５とを備えている。また、装置の故障を使用者に報知する報知手段７および故障発生を検知する故障検知手段８をも備えている。
【００２１】
前記加熱コイル２は、本実施の形態においては、直径約０．３ｍｍの素線を５０本束ねたリッツ銅線を１層のドーナツ状に２５ターン巻いたもので、その外径約１８０ｍｍ、内径約５０ｍｍ、厚さ約３ｍｍという形状である。また、加熱コイル２の中央部付近で絶縁板１の裏面には、温度検知素子であるサーミスタ３ａを配し、温度検知手段３が絶縁板１の温度を検出するようになっている。
【００２２】
表示手段４は、加熱コイル２が発生する磁束のおよぶ近傍に配された発光手段６を有し、発光手段６が発光することで、加熱コイル２によって加熱される部分、および温度検知手段３の出力が所定の値以上であることを図形の一部または全部を共用して表示する構成となっている。
【００２３】
発光手段６は、その光源となる複数のＬＥＤと、このＬＥＤの発する光を所望の図形（本実施の形態では、その内径が加熱コイル２の外径より大きくした円環状）に形成するための導光樹脂から成り、加熱コイル２が発生する磁束によって誘導加熱が可能である近傍に備えられ、この複数のＬＥＤは電気的に直列回路となるように結線され、電力供給経路は１系統である。よって、発光手段６への駆動信号伝達の配線リード線は少なくとも２本で良いことになる。
【００２４】
報知手段７は、ＬＥＤやＬＣＤ、またはブザーやスピーカなどから成り、加熱コイル２への通電の有無に関係なく、使用者に報知し対処を促すものである。
【００２５】
故障検知手段８は、万が一、発光手段６のＬＥＤが破壊して、絶縁板１の高温状態を表示できなくなると言う事態が生ずると、この故障を、例えば、ＬＥＤを流れる電流で判定して、加熱コイル２に通電中であればその通電を直ちに停止し絶縁板１の継続的な高温状態を避けるようにしている。
【００２６】
以上のように構成された誘導加熱調理器について、その動作を説明する。加熱制御手段５によって加熱コイル２への通電を制御することが可能となると、加熱制御手段５は加熱コイル２への通電を開始し、表示手段４は加熱コイル２によって加熱される部分を発光手段６の発する光により明るく円環状に示し、使用者が被加熱体９を載置する場所を容易に識別することが可能となる。加熱コイル２の通電が停止されると、表示手段４は発光手段６の駆動を停止する。
【００２７】
また、加熱コイル２への通電により、被加熱体９が誘導加熱されると、その被加熱体９の熱が絶縁板１を介してサーミスタ３ａに伝達され、これによって温度検知手段３が絶縁板１の温度を検知する。この時、この絶縁板１の温度が所定の値である約６０度になると、加熱コイル２に通電中は、上記と同様に表示手段４が加熱コイル２によって加熱される部分を発光手段６の発する光により明るく円環状に示しているが、加熱コイル２の通電を停止しても、表示手段４は表示を停止しない。但し、この時の表示は、図２に示すように、発光手段６の点灯のみの状態ではなく、点滅にて表示を継続する。
【００２８】
これにより、使用者は加熱コイル２の通電を停止している時でも、その近傍の絶縁板１の温度が高温であることを容易に認識できる。また、本実施の形態では、加熱コイル２の周囲の比較的大きな円環状の図形（直径約２２ｃｍ）に表示するため、単なる点滅にすると視覚的に派手なものとなるため、点滅の点灯時および消灯時の輝度の変化を、図２のように階段状に徐々に増減させることで緩和している。この階段の段階数は、不都合が生じない範疇で任意に定めれば良い。この時、発光手段６から生成される光で形成された図形を、被加熱体９が載置されるべき位置とその近傍の絶縁板１の高温状態とを共用して表示することで、表示の信号伝達ための配線数（本実施の形態では最小の２本）、光源となる発光手段６に含まれるＬＥＤの数、光源となるＬＥＤからの光を所望の形状の図形にするための導光部材数などを削減、また光源を駆動するための電源回路の小型化を図ることができる。
【００２９】
さらに、万が一、発光手段６のＬＥＤが破壊して、絶縁板１の高温状態を表示できなくなると言う事態が生じても、故障検知手段８が、例えば、そのＬＥＤを流れる電流で判定して、この故障を検知し、加熱コイル２に通電中であればその通電を直ちに停止して、絶縁板１の継続的な高温状態を避けると共に、加熱コイル２への通電の有無に関係なく、ＬＥＤやＬＣＤ、またはブザーやスピーカなどから成る報知手段７がその旨を使用者に報知する報知して対処を促すことができる。
【００３０】
なお、本実施の形態では、加熱コイル２によって加熱される部分の表示と、温度検知手段３の出力が所定の値以上であること、すなわち、絶縁板１が高温（本実施の形態では約６０度）であることの表示を円環状の図形を共用しつつ、その点灯と点滅という差異を設けて表示するようにしているが、発光手段６の発光輝度に差を設ける（例えば、加熱コイル通電、且つ絶縁板温度低温時の輝度を１として、加熱コイル通電・非通電に関わらず絶縁板温度高温時の輝度を１．２にするなど）、或いはどちらも点滅ではあるがその点滅周期や点灯時間に差を設ける、発光色を変える、または発光手段６が生成する図形の大きさや形状に差異を持たせる（例えば、加熱コイル通電時は、本実施の形態における図形の手前半分を点灯、絶縁板高温時は奥半分も点灯させて円環状で表示）など、使用者が視覚的に判別できる範疇での差であれば同様の効果があることは言うまでもないことである。
【００３１】
また、本実施の形態では、単一の加熱部の誘導加熱装置について説明してあるが、加熱部を複数有し、異なる複数の被加熱体を個別に加熱できる誘導加熱装置であれば、それぞれの加熱コイルの近傍にそれぞれに対応する表示手段４、発光手段６を設け、それぞれに対して独立して上記の動作をさせることで、どの加熱コイル２に通電されているか、或いはどの加熱コイル２の近傍の絶縁板が高温となっているのかが明白となり、使い勝手が良くなることは言うまでもないことである。
【産業上の利用可能性】
【００３２】
以上のように、本発明にかかる誘導加熱装置は、機器構成の単純化および電源回路の小型化がはかれ、被加熱体の載置場所、或いは載置場所が複数ある場合は通電中の載置場所がどれであるかを示すと共に、高温である部分の所在を明確にし、より安全で使い勝手の良いものとすることができるので、誘導加熱を用いた卓上型のＩＨ調理器や、誘導加熱部を複数と魚焼き器や電気ヒータとを組み合わせた複合型電気加熱調理器などにも適用できる。
【図面の簡単な説明】
【００３３】
【図１】（ａ）本発明の実施の形態における誘導加熱装置の平面図（ｂ）同装置の絶縁板を断面にして示したブロック図
【図２】同装置の発光手段の発光タイミングを示す図
【符号の説明】
【００３４】
１  絶縁板
２  加熱コイル
３  温度検知手段
４  表示手段
５  加熱制御手段
６  発光手段
７  報知手段
８  故障検知手段
９  被加熱体
【図１】
2006294371.tif 000003
【図２】
2006294371.tif 000004